(57)【要約】【課題】相手先に効率良く連絡する工夫が施された情報処理端末、その情報処理端末による通信方法、およびそのプログラムを提供する。【解決手段】上記目的を達成する本発明の情報処理端末は、通信相手の連絡先を表す連絡先情報に基づいて発信若しくは着信を行い通信相手の情報処理端末との間で通信を行う通信手段を備えた情報処理端末であって、上記連絡先情報と、その連絡先情報ごとに発信および着信がなされた回数をカウントして得られる累積回数を表す累積回数情報とを関連付けて記憶部に記憶する記憶処理手段と、上記累積回数情報に基づいて、上記連絡先情報を選択して通信相手の情報処理端末へ自動発信する自動発信手段と、を備えたことを特徴とする。【選択図】図３
2008245198.tif 000002
【特許請求の範囲】
【請求項１】
通信相手の連絡先を表す連絡先情報に基づいて発信若しくは着信を行い通信相手の情報処理端末との間で通信を行う通信手段を備えた情報処理端末であって、
前記連絡先情報と、該連絡先情報ごとに発信および着信がなされた回数をカウントして得られる累積回数を表す累積回数情報とを関連付けて記憶部に記憶する記憶処理手段と、
前記累積回数情報に基づいて、前記連絡先情報を選択して通信相手の情報処理端末へ自動発信する自動発信手段と、を備えたことを特徴とする情報処理端末。
【請求項２】
前記通信手段にて前記通信相手の情報処理端末に発信要求を行って通じなかったときに、前記自動発信手段は作動する、ことを特徴とする請求項１記載の情報処理端末。
【請求項３】
前記連絡先情報は、複数の通信相手の連絡先を表す情報である、ことを特徴とする請求項１又は２記載の情報処理端末。
【請求項４】
前記連絡先情報は、電話番号および電子メールアドレスである、ことを特徴とする請求項１から３のうちいずれか１項記載の情報処理端末。
【請求項５】
前記連絡先情報は、前記自動発信手段による電話番号への発信の可否および前記電子メールアドレスへの送信の可否を表す情報を含む、ことを特徴とする請求項１から４のうちいずれか１項記載の情報処理端末。
【請求項６】
前記自動発信手段は、通信相手の連絡先情報に基づいて選択される電話番号に対する発呼に通信先の情報処理端末が応じない場合には、通信相手の電子メールアドレスを選択し、該通信相手の情報処理端末に電子メールを送信する、ことを特徴とする請求項１から５のうちいずれか１項記載の情報処理端末。
【請求項７】
前記自動発信手段が作動中に、ユーザからの再発信要求を受け付ける再発信要求手段を備え、
前記自動発信手段は、現在発呼している、若しくは、直前に発呼した電話番号に発信する、ことを特徴とする請求項１から６のうちいずれか１項記載の情報処理端末。
【請求項８】
通信相手の連絡先を表す連絡先情報に基づいて発信若しくは着信を行い通信相手の情報処理端末との間で通信を行う通信工程を備えた情報処理端末による通信方法であって、
前記情報処理端末が、
前記連絡先情報と、該連絡先情報ごとに発信および着信がなされた回数をカウントして得られる累積回数を表す累積回数情報とを関連付けて記憶部に記憶する記憶処理工程と、
前記累積回数情報に基づいて、前記連絡先情報を選択して通信相手の情報処理端末へ自動発信する自動発信工程と、を備えたことを特徴とする情報処理端末による通信方法。
【請求項９】
通信相手の連絡先を表す連絡先情報に基づいて発信若しくは着信を行い通信相手の情報処理端末との間で通信を行う通信工程を備えた情報処理端末による通信方法であって、
前記情報処理端末が、
前記連絡先情報と、該連絡先情報ごとに発信および着信がなされた回数をカウントして得られる累積回数を表す累積回数情報とを関連付けて記憶部に記憶する記憶処理工程と、
前記通信手段にて前記通信相手の情報処理端末に発信要求を行って通じなかったときに、前記累積回数情報に基づいて、前記連絡先情報を選択して通信相手の情報処理端末へ自動発信する自動発信工程と、を備えたことを特徴とする情報処理端末による通信方法。
【請求項１０】
通信相手の連絡先を表す連絡先情報に基づいて発信若しくは着信を行い通信相手の情報処理端末との間で通信を行う通信手段を備えた情報処理端末に、
前記連絡先情報と、該連絡先情報ごとに発信および着信がなされた回数をカウントして得られる累積回数を表す累積回数情報とを関連付けて記憶部に記憶する記憶処理手段と、
前記累積回数情報に基づいて、前記連絡先情報を選択して通信相手の情報処理端末へ自動発信する自動発信手段と、を実現するプログラム。
【請求項１１】
通信相手の連絡先を表す連絡先情報に基づいて発信若しくは着信を行い通信相手の情報処理端末との間で通信を行う通信手段を備えた情報処理端末に、
前記情報処理端末が、
前記連絡先情報と、該連絡先情報ごとに発信および着信がなされた回数をカウントして得られる累積回数を表す累積回数情報とを関連付けて記憶部に記憶する記憶処理手段と、
前記通信手段にて前記通信相手の情報処理端末に発信要求を行って通じなかったときに、前記累積回数情報に基づいて、前記連絡先情報を選択して通信相手の情報処理端末へ自動発信する自動発信手段と、を実現するプログラム。
【発明の詳細な説明】
【技術分野】
【０００１】
本発明は、情報処理端末にかかり、特に、通信相手の連絡先を表す連絡先情報に基づいて発信若しくは着信を行い通信相手の情報処理端末との間で通信を行う通信手段を備えた情報処理端末に関する。
【背景技術】
【０００２】
従来より、情報処理端末の一種である携帯電話で電話を掛ける場合、例えば、相手先の電話番号を手入力するなどして、相手先の携帯電話に発呼した後、相手の携帯電話からの応答がなければ、携帯電話の切断ボタンを押下して一度回線を切断し、しばらくした後、再度電話を掛けることが行われている。上記携帯電話の中には、自動的に相手先の電話番号に再発呼するリダイヤル機能を備えているものがある（例えば、特許文献１参照）。
【０００３】
特許文献１によれば、携帯電話にリダイヤル機能を有するリダイヤルキーを備え、リダイヤルキーが押下されると、所定の電話番号に対して通話接続が繰り返して自動発呼される。これにより、ユーザの利便性が向上する。
【０００４】
ところで、近年、携帯電話が急速に普及し、個人で仕事用と私用とに使い分けるなどして、複数の携帯電話を所持するユーザが現れるようになってきている。また、業務上、複数の携帯電話を所持するユーザもいる。さらに、固定電話と携帯電話とを所持するユーザもいる。
【０００５】
上記リダイヤル機能を備えた携帯電話で複数の連絡先を有するユーザに電話を掛ける場合、例えば、特定の電話番号を掛けて発呼した後、相手先の電話の応答がなければ、リダイヤル機能にて繰り返して自動発呼する。それでも、相手先の電話の応答がなければ、一旦リダイヤル機能を止めて、他の電話番号に掛けて接続を試みるなどの操作が必要となる。しかしながら、最初の電話番号で応答が無く、リダイヤル機能にて繰り返して自動発呼して応答がなければ、リダイヤル機能を止めて、次の電話番号に掛けるという操作は、手間と時間がかかってしまうという問題が生じる。
【０００６】
そこで、電話帳としての電子手帳機能を備え、１つの名前につき複数の電話番号がその電話帳に登録されている場合、電話番号に優先順位を設け、まず、優先順位の一番高い電話番号を自動選択して相手先に発呼する携帯電話が提案されている（例えば、特許文献２参照）。
【０００７】
特許文献２の携帯電話では、まず、優先順位の一番高い電話番号を自動選択して相手先に発呼するため、応答がないと、次の優先順位の電話番号を選択して発呼する。この場合、優先順位の一番高い電話番号にリダイヤルすれば繋がるような状況であっても、優先順位に従って、他の電話番号に発呼していくことになるので、相手の電話に繋がるまでかえって時間がかかるおそれが生じる。
【０００８】
【特許文献１】特開２００１−１１９４６９号公報
【特許文献２】特開平１０−２３１３４号公報
【発明の開示】
【発明が解決しようとする課題】
【０００９】
本発明は、上記事情に鑑み、相手先に効率良く連絡する工夫が施された情報処理端末、その情報処理端末の通信方法、およびそのプログラムを提供することを目的とする。
【課題を解決するための手段】
【００１０】
上記目的を達成する本発明の情報処理端末は、
通信相手の連絡先を表す連絡先情報に基づいて発信若しくは着信を行い通信相手の情報処理端末との間で通信を行う通信手段を備えた情報処理端末であって、
上記連絡先情報と、その連絡先情報ごとに発信および着信がなされた回数をカウントして得られる累積回数を表す累積回数情報とを関連付けて記憶部に記憶する記憶処理手段と、
上記累積回数情報に基づいて、上記連絡先情報を選択して通信相手の情報処理端末へ自動発信する自動発信手段と、を備えたことを特徴とする。
【００１１】
本発明の情報処理端末によれば、上記記憶処理手段にて、上記連絡先情報と、その連絡先情報ごとに発信および着信がなされた回数をカウントして得られる累積回数を表す累積回数情報とを関連付けて記憶部に記憶する。そして、上記自動発信手段にて、上記累積回数情報に基づいて、上記連絡先情報を選択して通信相手の情報処理端末へ自動発信する。
【００１２】
これにより、例えば、上記累積回数情報から累積回数が多い順番に連絡先情報を選択して通信相手の情報処理端末へ自動発信すると、累積回数が多いほど着信の可能性が高まることから相手先に効率良く連絡することができる。
【００１３】
また、上記通信手段にて上記通信相手の情報処理端末に発信要求を行って通じなかったときに、上記自動発信手段は作動する、ことが好ましい。これにより、ユーザは、上記累積回数に関係なく、まず、連絡を取りたい情報処理端末に対して発信要求を行える。
【００１４】
また、上記連絡先情報は、複数の通信相手の連絡先を表す情報である、ことが好ましい。これにより、複数の通信相手に対して連絡先情報ごとに上記累積回数を関連付けて記憶することができる。
【００１５】
また、上記連絡先情報は、電話番号および電子メールアドレスである、ことが好ましい。これにより、電話番号および電子メールアドレスを上記累積回数に関連付けて記憶することができる。
【００１６】
また、上記連絡先情報は、上記自動発信手段による電話番号への発信の可否および上記電子メールアドレスへの送信の可否を表す情報を含む、ことが好ましい。これにより、ユーザが掛けたくない電話番号や送信したくない電子メールアドレスについては、自動発信されずに済む。
【００１７】
また、上記自動発信手段は、通信相手の連絡先情報に基づいて選択される電話番号に対する発呼に通信先の情報処理端末が応じない場合には、通信相手の電子メールアドレスを選択し、その通信相手の情報処理端末に電子メールを送信する、ことが好ましい。
【００１８】
上記構成によれば、通信相手の連絡先情報に基づいて選択される電話番号に対する発呼に通信先の情報処理端末が応じない場合には、上記自動発信手段は、通信相手の電子メールアドレスを選択し、その通信相手の情報処理端末に電子メールを送信する。これにより、複数の電話番号に電話を掛けて応答がなかった場合であっても、ユーザによる１回の発信操作で相手先の情報処理端末に何らかの用件を伝えることができる。
【００１９】
また、上記自動発信手段が作動中に、ユーザからの再発信要求を受け付ける再発信要求手段を備え、
上記自動発信手段は、現在発呼している、若しくは、直前に発呼した電話番号に発信する、ことが好ましい。
【００２０】
上記構成によれば、上記再発信要求手段にて、上記自動発信手段が作動中に、ユーザからの再発信要求を受け付けると、上記自動発信手段は、現在発呼している、若しくは、直前に発呼した電話番号に発信する。これにより、電話を掛けて応答がない場合、現在発呼している、若しくは、直前に発呼した電話番号に自動発信することをユーザが選択することができる。
【００２１】
さらに、上記目的を達成する本発明の第１の通信方法は、
通信相手の連絡先を表す連絡先情報に基づいて発信若しくは着信を行い通信相手の情報処理端末との間で通信を行う通信工程を備えた情報処理端末による通信方法であって、
上記情報処理端末が、
上記連絡先情報と、その連絡先情報ごとに発信および着信がなされた回数をカウントして得られる累積回数を表す累積回数情報とを関連付けて記憶部に記憶する記憶処理工程と、
上記累積回数情報に基づいて、上記連絡先情報を選択して通信相手の情報処理端末へ自動発信する自動発信工程と、を備えたことを特徴とする。
【００２２】
本発明の通信方法によれば、上記記憶処理工程にて、上記連絡先情報と、その連絡先情報ごとに発信および着信がなされた回数をカウントして得られる累積回数を表す累積回数情報とを関連付けて記憶部に記憶する。そして、自動発信工程にて、上記累積回数情報に基づいて、上記連絡先情報を選択して通信相手の情報処理端末へ自動発信する。
【００２３】
これにより、相手先に効率良く連絡する工夫が施された情報処理端末による通信方法が提供される。
【００２４】
また、上記目的を達成する本発明の第２の通信方法は、
通信相手の連絡先を表す連絡先情報に基づいて発信若しくは着信を行い通信相手の情報処理端末との間で通信を行う通信工程を備えた情報処理端末による通信方法であって、
上記情報処理端末が、
上記連絡先情報と、その連絡先情報ごとに発信および着信がなされた回数をカウントして得られる累積回数を表す累積回数情報とを関連付けて記憶部に記憶する記憶処理工程と、
上記通信工程にて上記通信相手の情報処理端末に発信要求を行って通じなかったときに、上記累積回数情報に基づいて、上記連絡先情報を選択して通信相手の情報処理端末へ自動発信する自動発信工程と、を備えたことを特徴とする
本発明の通信方法によれば、上記記憶処理工程にて、上記連絡先情報と、その連絡先情報ごとに発信および着信がなされた回数をカウントして得られる累積回数を表す累積回数情報とを関連付けて記憶部に記憶する。そして、上記通信工程にて上記通信相手の情報処理端末に発信要求を行って通じなかった場合、自動発信工程にて、上記累積回数情報に基づいて、上記連絡先情報を選択して通信相手の情報処理端末へ自動発信する。
【００２５】
これにより、さらに、相手先に効率良く連絡する工夫が施された情報処理端末による
通信方法が提供される。
【００２６】
さらに、上記目的を達成する本発明の第１のプログラムは、
通信相手の連絡先を表す連絡先情報に基づいて発信若しくは着信を行い通信相手の情報処理端末との間で通信を行う通信手段を備えた情報処理端末に、
上記連絡先情報と、その連絡先情報ごとに発信および着信がなされた回数をカウントして得られる累積回数を表す累積回数情報とを関連付けて記憶部に記憶する記憶処理手段と、
上記累積回数情報に基づいて、上記連絡先情報を選択して通信相手の情報処理端末へ自動発信する自動発信手段と、を実現する。
【００２７】
さらに、上記目的を達成する本発明の第２のプログラムは、
通信相手の連絡先を表す連絡先情報に基づいて発信若しくは着信を行い通信相手の情報処理端末との間で通信を行う通信手段を備えた情報処理端末に、
上記情報処理端末が、
上記連絡先情報と、その連絡先情報ごとに発信および着信がなされた回数をカウントして得られる累積回数を表す累積回数情報とを関連付けて記憶部に記憶する記憶処理手段と、
上記通信手段にて上記通信相手の情報処理端末に発信要求を行って通じなかったときに、上記累積回数情報に基づいて、上記連絡先情報を選択して通信相手の情報処理端末へ自動発信する自動発信手段と、を実現する。
【発明の効果】
【００２８】
本発明によれば、相手先に効率良く連絡する工夫が施された情報処理端末、その情報処理端末による通信方法、およびそのプログラムが提供される。
【発明を実施するための最良の形態】
【００２９】
以下、図面を参照して本発明の実施形態を説明する。ここでは、本発明のプログラムに基づいて動作する情報処理端末、その情報処理端末で実行される本発明の通信方法について説明する。
【００３０】
なお、以下では、本発明の情報処理端末として、携帯電話を例に挙げて説明する。但し、これは一例であって、携帯電話に限られず、上記特徴を有する他の携帯型の情報処理端末（例えば、ＰＨＳ（Ｐｅｒｓｏｎａｌ  Ｈａｎｄｙｐｈｏｎｅ  Ｓｙｓｔｅｍ）など）であってもよい。
【実施例１】
【００３１】
[構成]
＜携帯電話＞
図１は、本発明の一実施形態としての携帯電話の正面図である。
本発明の一実施形態としての携帯電話の正面図である。図１に示すように、本発明における携帯電話１には、表示部１０、操作部１１が設けられている。この表示部１０は、液晶表示用の液晶ＬＣＤ（ＬＣＤ：Ｌｉｑｕｉｄ  ＣｒｙｓｔａｌＤｉｓｐｌａｙ）からなり、携帯電話１のメニュー等を表示するものである。
【００３２】
この操作部１１には、１から０までのテンキー、電源キー、発信キー、着信キー、＊キー、および＃キーなどの操作キー１２、メニュー切替・実行キー１３、電子メール起動キー１４、およびリトライキー１５が設けられている。このメニュー切替・実行キー１３は、４つのメニュー切替キー（１３１ａ〜１３１ｄ）と実行キー１３２から構成されており、ユーザは、メニュー切替キー（１３１ａ〜１３１ｄ）により表示部１０に表示されるメニュー等を自在に切り替えて設定条件を選択し、実行キー１３２を押下することで選択条件の操作を実行させる。
【００３３】
また、電子メール起動キー１４は、電子メールソフトを起動するキーであり、リトライキー１５は、指定された電話番号で再度電話を掛けなおすためのキーである。この操作部１１は、上記キーの入力操作を受け付けて後述する制御部２に処理の命令を出すものである。
【００３４】
また、携帯電話１には、スピーカ発音口１６および受話口１７が設けられている。スピーカ発音口１６は、携帯電話内部に設けられているスピーカの音声を聞き取るものであり、受話口１７は携帯電話内部に設けられたマイクにユーザの声を導くものである。
【００３５】
図２は、図１に示す携帯電話の構成を示すブロック図である。この携帯電話１には、制御部２、記憶部３、無線送受信部４、アンテナ５、電源６、表示部１０、および操作部１１が設けられている。
【００３６】
制御部２は、中央処理装置（ＣＰＵ：Ｃｅｎｔｒａｌ  ｐｒｏｃｅｓｓｉｎｇ  Ｕｎｉｔ）であって、携帯電話の発着信、電子メールの送受信等、この携帯電話１の動作を総合的に制御するものである。記憶部３は、通信相手ごとに電話番号やメールアドレスの連絡先情報を記憶するものである。また、連絡先情報と、その連絡先情報ごとに発信および着信がなされた回数をカウントして得られる累積回数を表す累積回数情報とを関連付けて記憶する（記憶処理手段）。本実施例では、関連付けの一例として、累積回数が多いほど、使用頻度が高い電話番号、電子メールアドレスとする。
【００３７】
また、アンテナ５は、音声着信、電子メール着信、その他の着信や発信のための電波を受信し、無線送受信部４に伝える。無線送受信部４では、アンテナ５を介して受信した高周波信号を復調し、復調によって得られたデータ等を後述する制御部２の送受信データ処理部２１に出力する。また、この無線送受信部４は、送受信データ処理部２１供給される通信用データ、文字データ、音声信号等を高周波信号に変調し、高周波の搬送波としてアンテナ５から発信する。また、電源６は、携帯電話１に電力を供給するものであり、表示部１０、操作部１１は上述した通りである。
【００３８】
図３は、図２に示す制御部および記憶部の内部構成を示す図である。記憶部３には、電話帳ＤＢ（ＤａｔａＢａｓｅ）３１と、タイマー値記憶部３２とが形成される。タイマー値記憶部３２には、ユーザが携帯電話を発呼させる時間を表すタイマー値（秒数）を操作部１１でキー入力することにより、そのタイマー値が格納される。このタイマー値の利用については後述する。
【００３９】
図４は、電話帳ＤＢ内の情報の一例を示す図である。図４には、あるユーザＡの電話番号・電子メールアドレス、発着信累積回数、発信累積回数、着信累積回数、送信可否を示している。電話番号および電子メールアドレスが、本発明にいう連絡先情報の一例に相当する。
【００４０】
この電話帳ＤＢ３１の例では、ユーザＡの電話番号（４件）およびメールアドレス（４件）が登録されている。この電話帳ＤＢ３１には、それぞれの電話番号・メールアドレスごとに、発信した回数および着信した回数の累計である発着信累積回数を表す累積回数情報が発着信累積回数の欄に格納されている。この発着信累積回数の欄は、各々対応する電話番号・メールアドレスでの発着信が発生するたびに、後述する制御部２の発着信カウント部２２により１ずつカウントアップされて更新される。
【００４１】
また、発信累積回数の欄は、発信の場合、発着信カウント部２２により１ずつカウントアップされ、発信累積回数の欄は、着信の場合、発着信カウント部２２により１ずつカウントアップされる。
【００４２】
また、この電話帳ＤＢ３１には、それぞれの電話番号・メールアドレスごとに、自動送信可否の情報が格納されている。自動送信可否の情報は、ユーザが電話番号・メールアドレスを登録する際に併せて登録するものであり、その電話番号・メールアドレスを使っての自動送信を許可するか否かを設定する情報である。具体的な使用例については、後述する。
【００４３】
また、図３に示すように、この制御部２には、記憶部３に記憶されている本発明の一実施形態であるプログラムが組み込まれることによって、送受信データ処理部２１、発着信カウント部２２、タイマー管理部２３、および自動発信部２４が構築される。
【００４４】
この送受信データ処理部２１は、携帯電話１で取り扱う通信用データ、文字データ、音声信号等を処理するものである。通信用データ、文字データ、音声信号等は、送受信データ処理部２１と無線送受信部４との間で入出力が行われる。
【００４５】
また、発着信カウント部２２は、電話番号や電子メールの発着信が行われるたびに、電話帳ＤＢ３１の発着信累積回数の欄を参照して、各々対応する電話番号・メールアドレスごとに、発着信累積回数を１カウントアップして更新する。また、発信の場合には、発信累積回数の欄の発信累積回数を１カウントアップし、着信の場合、着信累積回数の欄の着信累積回数を１カウントアップする。
【００４６】
また、タイマー管理部２３は、発呼と同時に時間を計測するタイマーを起動し、タイマー値記憶部３２にて設定されているタイマー値（本実施例では、一例として２０秒とする）の時間経過後、タイマー値満了を自動発信部２４に通知するものである。
【００４７】
また、自動発信部２４は、通話相手に対応する電話帳ＤＢ３１内の情報を参照し、自動送信を許可された電話番号が複数ある場合、まず、発着信累積回数が最大であるものを選択し、この電話番号で自動発呼を行う。そして、この電話番号で電話が繋がらないときには、次に発着信累積回数が多い電話番号を選択して自動発呼を行う。以下、同様にして、電話が繋がらない場合には、発着信累積回数の多い順に選択していき、次候補の電話番号がなくなるまで自動発呼を行う。
【００４８】
さらに、自動発信部２４は、ユーザの電話番号若しくは電子メールアドレスを選択して、自動発信する機能も有している。具体的には、自動送信を許可された電話番号による発呼に相手先の電話がすべて応じない場合には、通話相手に対応する電話帳ＤＢ３１内の情報を参照し、発着信累積回数が最大であって自動送信を許可された電子メールアドレスを選択して相手先の携帯電話に電子メールを送信する（自動発信手段）。この自動発信部２４の処理の詳細は、後ほど、フローチャートを用いて説明する。
【００４９】
[動作]
次に携帯電話１の動作について説明する。
【００５０】
図５は、本発明の一実施形態である携帯電話の発信動作の一例を表すフローチャートである。この処理ルーチンは、ユーザが電源キーをオンすることにより開始され、電話番号の入力待ち状態となる。ユーザが、図１に示す操作部１１より電話番号を入力するか、若しくは、メニュー切替・実行キー１３の操作により電話帳データＤＢ３１内に記憶されている相手先電話番号を表示部１０に表示し、その中から所望の電話番号を選択して入力する（ステップＳ１０１）。
【００５１】
次に、ユーザにて、操作部１１の発信キーが押下されると、無線送受信部４より、相手先の電話へ音声通話発呼を行う（ステップＳ１０２）。この際、発呼と同時に図３に示すタイマー管理部２３よりタイマーを開始させる（ステップＳ１０３）。ここで、タイマーが満了するまでの間に相手からの応答があった場合は（Ｓ１０４：Ｙｅｓ）、通話回線の接続処理を経て音声通話が行なわれる（ステップＳ１１２）。そして、通話が終了し、通話回線が切断されると（ステップＳ１１３）、発着信カウント部２２は、今の通話相手の電話番号が記憶部３の電話帳ＤＢ３１に登録されている番号か否かを確認する（ステップＳ１１４）。
【００５２】
登録済みの電話番号であれば（ステップＳ１１４：Ｙｅｓ）、発着信カウント部２２は、この電話番号に関連付けられた発着信累積回数を１カウントアップさせ、通話相手の電話帳ＤＢ３１の発着信累積回数の欄に記憶する。また、発着信カウント部２２は、発信累積回数を１カウントアップさせ、通話相手の電話帳ＤＢ３１の発信累積回数の欄に記憶する。（ステップＳ１１５、記憶処理工程）。一方、登録済みの電話番号でなければ（ステップＳ１１４：Ｎｏ）、この処理ルーチンは終了する。
【００５３】
また、発呼後相手からの応答がなく（ステップＳ１０４：Ｎｏ）、タイマーが満了した場合（ステップＳ１０５：Ｙｅｓ）、タイマー管理部２３は自動発信部２４にタイマーの満了を通知する。送受信データ処理部２１では発呼を切断し、タイマー管理部２３は、タイマーをリセットする（ステップＳ１０６）。
【００５４】
その後、送受信データ処理部２１は、先ほど掛けた電話番号が記憶部３の電話帳ＤＢ３１に登録されている番号か否かを判定する（ステップＳ１０７）。電話帳ＤＢ３１に登録されていない場合には（ステップＳ１０７：Ｎｏ）、自動発呼の処理に移行せず、この処理ルーチンを終了する。
【００５５】
一方、電話帳ＤＢ３１に登録されていれば（ステップＳ１０７：Ｙｅｓ）、自動発信の処理に入る。自動発信部２４は、記憶部３に発呼済み番号として先ほど発呼した電話番号を一時保存し、さらに、電話帳ＤＢ３１内の電話番号主の電話番号データの欄から、一時保存した発呼済み番号以外に自動送信可否の欄で“可”とした電話番号があるかどうかの検索を行う（ステップＳ１０８）。
【００５６】
もし、自動送信を許可された電話番号が複数ある場合には、自動発信部２４は、発着信累積回数が最大であるものを選択し、ステップＳ１０２に戻る（ステップＳ１０９）。
【００５７】
そして、自動発信部２４は、この電話番号で自動発呼を行わせる（ステップＳ１０２）。上記の処理と同様に行われて、電話が繋がらない場合には、ステップＳ１０８にて、電話番号主の電話帳ＤＢ３１を参照し、次に発着信累積回数が多い電話番号を選択してステップＳ１０２に戻り、自動発呼を行う。以下、同様にして、電話が繋がらない場合には、発着信累積回数の多い順に選択していき、次候補の電話番号がなくなるまで自動発呼を行う（自動発信工程）。
【００５８】
もし、次候補の電話番号がなくなると（ステップＳ１０８：Ｎｏ）、メールの送信処理に移り、自動発信部２４は、電話番号の時と同様に、その電話番号主の電話帳ＤＢ３１の登録データの中から、自動送信可否の欄で“可”としたメールアドレスがあるかどうか検索を行う（ステップＳ１１０）。メールアドレスが登録されていないか若しくは自動送信可否情報が全て“否”となっているときには（ステップＳ１１０：Ｎｏ）、記憶部３に一時保存した発呼済み番号を消去して、この処理ルーチンを終了する（ステップＳ１１６、自動発信工程）。
【００５９】
自動送信可否情報で許可となっているメールアドレスがあれば（ステップＳ１１０：Ｙｅｓ）、発着信累積回数が最大であるメールアドレスを選択し、電子メールの送信を行う（ステップＳ１１１）。電子メールの送信は、メーラーを自動立ち上げし、メール本文を入力した後、電子メールを発信しても良いし、または、ユーザが事前に自動送信用の電子メールデータとしてメール本文を作成し記憶部３に保存しておき、それを読み込み自動送信しても良い。メール送信後は、記憶部３に一時保存した発呼済み番号を消去し、この処理ルーチンを終了する（ステップＳ１１６、自動発信工程）。
【００６０】
以上、発呼時の携帯電話１の動作について述べてきたが、次に、音声通話着呼時の処理について説明する。
【００６１】
図６は、本発明の一実施形態である携帯電話の着信動作の一例を表すフローチャートである。この処理ルーチンもユーザが電源キーをオンすることにより開始され、着信待ち状態となる。図６に示す通り、相手から着信を受け（ステップＳ２０１）、着信キーを押下した後、通話を開始し（ステップＳ２０２）、通話を終了する（ステップＳ２０３）。
【００６２】
通話終了後、発着信カウント部２２は、今の通話相手の電話番号が記憶部３の電話帳ＤＢ３１に登録されている番号か否かを判定し（ステップＳ２０４）、登録済みの電話番号であれば（ステップＳ２０４：Ｙｅｓ）、電話帳ＤＢ３１内の今の通話相手に対応する発着信累積回数の欄の値を１カウントアップさせる。また、同様に、また、発着信カウント部２２は、着信累積回数を１カウントアップさせ、通話相手の電話帳ＤＢ３１の着信累積回数の欄に記憶する。（ステップＳ２０５、記憶処理工程）。そして、この処理を終了する。
【００６３】
なお、本実施例では、自動送信時の電話番号・メールアドレス選択の指標として、発着信累積回数を示してきたが、これに限定するものではなく、発信累積回数の多い順に自動発信してもよく、あるいは、着信累積回数の多い順に自動発信してもよい。
【実施例２】
【００６４】
[構成]
次に、本発明の第２の実施例について説明する。なお、本発明の第１の実施例と本発明の第２の実施例とでは、内部構成が一部異なるが、それ以外はほぼ同様の構成を有するため、同じ要素については同じ符号を付して説明を省略し、実施例１と異なる構成について詳細に説明する。
【００６５】
本発明の第２の実施例では、発呼中のタイマーが満了する前にユーザがリトライキー１５を押下することで、タイマーが満了後に再度電話番号を掛けなおす機能を追加している。
【００６６】
＜携帯電話＞
図７は、第２の実施例における制御部および記憶部の内部構成を示す図である。図４に示すように、この制御部２には、記憶部３に記憶されている本発明の一実施形態であるプログラムが組み込まれることによって、送受信データ処理部２１、発着信カウント部２２、タイマー管理部２３、自動発信部２４、リダイヤル受付処理部２５が構築される。
【００６７】
新たに追加されたリダイヤル受付処理部２５は、ユーザからのリトライキー１５の押下を受け付けて、発呼中のタイマーが満了すると、自動発信部２４にリダイヤルの指示を出す（再発信要求手段）。自動発信部２４では、再発信要求手段にて受け付けた電話番号に発呼する。このリダイヤル受付処理部２５の処理が、本発明にいう再発信要求手段の一例に相当する。
【００６８】
図８は、第２の実施例における電話帳ＤＢ内の情報の一例を示す図である。第２の実施例における電話帳ＤＢ３１ａでは、新たにリトライフラグの欄を設けている。このリトライフラグがＯＮであると、再度同じ電話番号で自動発信することを意味し、リトライフラグがＯＦＦでは、再度同じ電話番号で自動発信しないことを意味する。ユーザからのリダイヤル要求があった場合には、リダイヤル受付処理部２５にて、リダイヤル要求のあったユーザの電話番号のリトライフラグの欄がＯＮになる。そして、リダイヤルされると、リトライフラグは、ＯＦＦに書き換えられる。
【００６９】
次に、この第２の実施例における携帯電話の動作について説明する。
【００７０】
[動作]
図９は、第２の実施例における携帯電話の発信動作の一例を表すフローチャートである。まず、ユーザにより携帯電話１の電源ＯＮがなされた後、図９に示すフローチャートの処理ルーチンが開始され、待受状態に移行する。なお、実施例１で説明した携帯電話の発信動作のフローチャートと同様の処理については、同じステップ番号を付して説明を簡略化する。新規に追加した処理は、ステップＳ３０１〜ステップＳ３０５の処理である。
【００７１】
ここで、ユーザが電話番号を入力して図１に示す操作部１１の発信キーを押下すると（ステップＳ１０１）、携帯電話１は、発呼し（ステップＳ１０２）、図７に示すタイマー管理部２３にて、タイマーの監視が開始される（ステップＳ１０３）。相手の応答待ちである場合には（ステップＳ１０４）、タイマーがまだ満了していない状態でユーザがリトライキー１５を押下すると、図７に示すリダイヤル受付処理部２５は、リトライキー１５の押下を検出し（ステップＳ３０１：Ｙｅｓ）、このユーザに関する電話帳ＤＢ３１ａの電話番号に対応するリトライフラグの欄をＯＮする（ステップＳ３０２）。
【００７２】
なお、タイマー起動中、リトライキー１５の押下を検出しない場合（ステップＳ３０１：Ｎｏ）、ステップＳ１０４の応答待ちの処理に戻る。タイマーが満了すると、送受信データ処理部２１では発呼中の回線を切断し、タイマー管理部２３はタイマーをリセットする（ステップＳ１０６）。続いて、自動発信部２４は、相手先のユーザの電話帳ＤＢ３１ａのリトライフラグの確認を行う（ステップＳ３０３）。
【００７３】
リトライフラグがＯＦＦであれば（ステップＳ３０３：Ｎｏ）、自動発信部２４により、先ほど掛けた電話番号がそのユーザの電話帳ＤＢ３１ａに保存されている番号か否かの確認処理に移り、以降の処理は、第１の実施例と同様である（ステップＳ１０７）。
【００７４】
一方、リトライフラグがＯＮであれば（ステップＳ３０３：Ｙｅｓ）、自動発信部２４は、先ほど掛けた電話番号で再度発呼を行い（ステップＳ３０４）、そのユーザの電話帳ＤＢ３１ａ内のリトライフラグをＯＦＦにする（ステップＳ３０５）。以後、タイマー管理部２３はタイマーを開始させる（ステップＳ１０３）。
【００７５】
以降の処理は、上記処理と同様である。このように、本実施例では、応答待ち中にユーザが押下したリトライキー１５を検出する手段を設けているので、ユーザがもう一度同じ番号にて呼び出しを試みたいと思っているにもかかわらず、自動的に次の電話番号にて発呼されてしまうというユーザのストレスをなくし、再度同じ電話番号にて呼び出しを行うことも選択できるという効果が得られる。
【００７６】
以上説明したように、本発明においては、以下に記載するような効果を奏する。第１の効果は、ユーザの携帯電話からの発呼に対して、相手先の携帯電話又は固定電話が応答をしない場合、自動的に切断し相手の電話帳データから次の電話番号を呼び出し、発呼しているので、切断後、自ら他の電話番号に掛けなおす必要がないことである。
【００７７】
第２の効果は、次の電話番号に掛けなおす際、今まで通話に使用してきた電話番号の使用率の多い順に電話番号を選択しているので、電話番号を最適に選択できることである。
【００７８】
第３の効果は、電話帳に登録してある電話番号・メールアドレスに、自動送信可否の情報を関連付けしているので、掛けたくない電話番号・メールアドレスには発信されないことである。
【００７９】
第４の効果は、最終的に音声通話のための電話に繋がらなかった場合でも、メールを自動発信するので、１回の音声発信操作で、相手側に何らかの用件を伝えられることができることである。
【産業上の利用可能性】
【００８０】
本発明は、携帯電話などの情報処理端末に利用することができ、産業上の利用可能性を有する。
【図面の簡単な説明】
【００８１】
【図１】本発明の一実施形態としての携帯電話の正面図である。
【図２】図１に示す携帯電話の内部構成図である。
【図３】図２に示す制御部および記憶部の内部構成を示す図である。
【図４】電話帳ＤＢ内の情報の一例を示す図である。
【図５】本発明の一実施形態である携帯電話の発信動作の一例を表すフローチャートである。
【図６】本発明の一実施形態である携帯電話の着信動作の一例を表すフローチャートである。
【図７】第２の実施例における制御部および記憶部の内部構成を示す図である。
【図８】第２の実施例における電話帳ＤＢ内の情報の一例を示す図である。
【図９】第２の実施例における携帯電話の発信動作の一例を表すフローチャートである。
【符号の説明】
【００８２】
１  携帯電話
２  制御部
３  記憶部
４  無線送受信部
５  アンテナ
６  電源
１０  表示部
１１  操作部
１２  操作キー
１３  メニュー切替・実行キー
１４  電子メール起動キー
１５  リトライキー
１６  スピーカ発音口
１７  受話口
２１  送受信データ処理部
２２  発着信カウント部
２３  タイマー管理部
２４  自動発信部
２５  リダイヤル要求処理部
３１、３１ａ  電話帳ＤＢ
３２  タイマー値記憶部
１３１ａ、１３１ｂ、１３１ｃ、１３１ｄ  メニュー切替キー
１３２  実行キー
【図１】
2008245198.tif 000003
【図２】
2008245198.tif 000004
【図３】
2008245198.tif 000005
【図４】
2008245198.tif 000006
【図５】
2008245198.tif 000007
【図６】
2008245198.tif 000008
【図７】
2008245198.tif 000009
【図８】
2008245198.tif 000010
【図９】
2008245198.tif 000011